(57)【要約】【課題】  単純構造でありながら、軽量級から超重量級までの巻回ドラムの吊り上げが可能であり、また吊りワイヤが弛むことがあっても脱落する虞のない巻回ドラム用の吊り具を安価に提供する。【解決手段】  巻回ドラム用吊り具１に、係合軸部２とシャックル４と抜け止めプレートガイド手段５と抜け止めプレート６とシャックル回動規制手段８とを設ける。係合軸部２は、巻回ドラム２０の吊り上げ時に通孔２２の内部で傾いて外側開口縁上部２２ａと内側開口縁下部２２ｂとに当接係合する。抜け止めプレートガイド手段５は、抜け止めプレート６を係合軸部２の投影面積内と係合軸部２に対して下側に垂下するように支持する。【選択図】  図１
2008308278.tif 000002
【特許請求の範囲】
【請求項１】
巻回ドラムのガイドフランジの中心軸に開設された通孔に挿通され、前記巻回ドラムを吊持した際に、前記通孔の内部で傾いて該通孔の外側開口縁上部と内側開口縁下部とに当接係合する係合軸部と、
該係合軸部の基端側に突出するボス部に回動可能に軸支されるシャックルと、
該シャックルの回動量をボス部の一側方の所定範囲に規制するシャックル回動規制手段と、
前記係合軸部の先端側に配設される抜け止めプレートと、
該抜け止めプレートを前記係合軸部の半径方向へ移動可能に支持し、かつ前記シャックルが前記ボス部に対して下位にあるときには、前記抜け止めプレートを前記係合軸部の投影面積内に規制し、前記シャックルが前記ボス部に対して上位にあるときには、前記抜け止めプレートをその自重により前記係合軸部に対して下側に垂下することを許容する抜け止めプレートガイド手段とを備えた
ことを特徴とする巻回ドラム用吊り具。
【請求項２】
前記抜け止めプレートガイド手段は、前記係合軸部の先端面中心位置から前記ボス部の一側方とは反対側の等距離に突出する一対のガイドピンと、
前記抜け止めプレートに開設され、前記一対のガイドピンと相対移動可能に係合する一対の平行な長孔とを有している
ことを特徴とする請求項１に記載の巻回ドラム用吊り具。
【請求項３】
前記抜け止めプレートガイド手段は、前記係合軸部の先端面中心位置から前記ボス部の一側方とは反対側に延出する半径方向線上に不等距離で突出する一対のガイドピンと、
前記抜け止めプレートに開設され、前記一対のガイドピンと相対移動可能に係合する長孔とを有している
ことを特徴とする請求項１に記載の巻回ドラム用吊り具。 
【発明の詳細な説明】
【技術分野】
【０００１】
本発明は、電線やケーブル，ワイヤ等の線状巻回物や、鋼鈑やロール紙等の帯状巻回物を巻き取る巻回ドラム用の吊り具に係り、詳しくは、巻き取りドラムが、ドラム本体の両側部に位置するガイドフランジの中心軸に吊り上げ用の通孔が開設される構造であって、この通孔を利用して巻回ドラムを吊り上げるようにした巻回ドラム用吊り具に関する。
【背景技術】
【０００２】
例えば、電線やケーブル類を巻き取った巻回ドラムを移送する際にクレーン等で吊り上げられるが、この際に吊り具が用いられる。
この種の吊り具の技術として、運搬対象である巻回ドラムの外幅寸法に応じて、ドラム吊り金具本体の腕の長さとこれに付属のドラムシャフトの長さを可変となし、ドラム吊り金具本体の腕の両端から前記ドラムシャフトの両端に掛けるシャフト吊りワイヤーの長さと前記デリックフックに掛けるフック掛けワイヤーの長さ可変とした巻回ドラム吊り金具がある（例えば特許文献１参照）。
【０００３】
また、吊り金具をクランク状に折曲して、その一端に吊り用ワイヤを取り付け、吊り金具の中間部を巻回ドラムのガイドフランジ中央に開設した通孔に差し込むとともに、吊り金具の一端と他端とをガイドフランジの外側面と内側面とに当接させて巻回ドラムを吊り上げるようにしたものや（例えば特許文献２参照）、互いに枢支された第１レバーと第２レバーとを有し、前記第１レバーの下端部に巻回ドラムのガイドフランジ外面に当接する第１挟持部を設けるとともに、上端部にローラ挿入用の位置調整孔を複数個設け、前記第２レバーの下端部に巻回ドラムのガイドフランジ内面に当接し、前記第１挟持部と共働して巻回ドラムのガイドフランジを挟持する第２挟持部を設けるとともに、上端部に前記位置調整孔に装着されたローラに巻回された吊り上げ用のワイヤ先端を係止する穴を設け、かつ前記第２レバーから分岐された分岐レバーの下端部の前記第１挟持部より下方位置で前記ガイドフランジの外面に当接するドラム抑えを設けた巻回ドラム吊り金具も知られている（例えば特許文献３参照）。
【特許文献１】特開平７−４８０８４号公報
【特許文献２】実開昭６１−９８７８７号公報
【特許文献３】実開昭６３−１９２３８４号公報
【発明の開示】
【発明が解決しようとする課題】
【０００４】
しかしながら、特許文献１のものは、ドラム吊り金具本体とドラムシャフトとこれらをつなぐワイヤとに分離しているために組立と分解作業が必要であり、また多部品構成であることから部品管理や製作費の点で不利であるばかりか、巻回ドラムの大きさに合わせて伸縮作業を行わなければならないという作業性のわるいものであった。
また、特許文献２のものは、巻回ドラムの吊り上げによって吊り用ワイヤが緊張した際に、クランク状の吊り金具がガイドフランジの内外側面や通孔に初めて係合する構造であり、巻回ドラムが吊り上げ状態にない状態では吊りワイヤが緩んで、吊り金具とガイドフランジとの係合が外れてしまうこととなる。
このため、巻回ドラムの吊り上げ前に吊り用ワイヤが緊張するまでは、吊り金具がガイドフランジの内外側面や通孔と係合するようにサポートする必要があり、また吊り上げた巻回ドラムを地面等に仮置きする場合には、吊り金具がガイドフランジの通孔から抜け落ちる虞がある。
さらに、金属板をクランク状に折り曲げただけの吊り金具は、巻回ドラムから作用する重量が過大な場合には曲げ形状が拡がって変形してしまう虞があり、重量物の吊り上げには不向きである。
さらに、特許文献３の吊り金具も巻回ドラムのガイドフランジを上から挟んで吊り上げる構造であるため、重量物の吊り上げには適さない。
【０００５】
本発明は、かかる実情を背景にしてなされたもので、その目的とするところは、単純構造でありながら、軽量級から超重量級までの巻回ドラムの吊り上げが可能であり、また吊りワイヤが弛むことがあっても脱落する虞のない巻回ドラム用の吊り具を安価に提供することを目的としている。
【課題を解決するための手段】
【０００６】
上述の目的にしたがって、本発明の巻回ドラム用吊り具は、巻回ドラムのガイドフランジの中心軸に開設された通孔に挿通され、前記巻回ドラムを吊持した際に、前記通孔の内部で傾いて該通孔の外側開口縁上部と内側開口縁下部とに当接係合する係合軸部と、該係合軸部の基端側に突出するボス部に回動可能に軸支されるシャックルと、該シャックルの回動量をボス部の一側方の所定範囲に規制するシャックル回動規制手段と、前記係合軸部の先端側に配設される抜け止めプレートと、該抜け止めプレートを前記係合軸部の半径方向へ移動可能に支持し、かつ前記シャックルが前記ボス部に対して下位にあるときには、前記抜け止めプレートを前記係合軸部の投影面積内に規制し、前記シャックルが前記ボス部に対して上位にあるときには、前記抜け止めプレートをその自重により前記係合軸部に対して下側に垂下することを許容する抜け止めプレートガイド手段とを備えていることを特徴としている。
【０００７】
前記抜け止めプレートガイド手段は、前記係合軸部の先端面中心位置から前記ボス部の一側方とは反対側の等距離に突出する一対のガイドピンと、前記抜け止めプレートに開設され、前記一対のガイドピンと相対移動可能に係合する一対の平行な長孔とを有している構成とすることができる。
さらに、前記抜け止めプレートガイド手段は、前記係合軸部の先端面中心位置から前記ボス部の一側方とは反対側に延出する半径方向線上に不等距離で突出する一対のガイドピンと、前記抜け止めプレートに開設され、前記一対のガイドピンと相対移動可能に係合する長孔とを有している構成とすることもできる。
抜け止めプレートガイド手段をこのように構成すると、巻回ドラム用吊り具を通孔の軸回りに略半周させて抜け止めプレートを上下方向へ移動する際に、抜け止めプレートが横方向へ振れるのを防止して、抜け止めプレートを円滑且つ迅速に上下動させる。
【０００８】
巻回ドラム用吊り具の係合軸部を巻回ドラムの通孔内部で傾かせて、両者を当接係合させるために、係合軸部には通孔以上の長さを持たせ、また係合軸部と通孔との間には若干の隙間を持たせる。係合軸部と通孔との間の隙間は、係合軸部を通孔へ容易に差し込むにも役立つ。
【０００９】
本発明の抜け止めプレートガイド手段は、係合軸部を横方向（水平方向）に向けてシャックルをボス部に対して下側に位置させることにより、抜け止めプレートが係合軸部の投影面積内に規制し、同じく係合軸部を横方向に向けてシャックルをボス部に対して上側に位置させることにより、抜け止めプレートがその自重により係合軸部よりも下側に移動する。
【００１０】
本発明の巻回ドラム用吊り具を、巻回ドラムのガイドフランジの通孔に挿通するには、シャックルをボス部よりも下側にして、抜け止めプレートを係合軸部の投影面積内に規制し、この状態を保ちながら抜け止めプレートを先頭にして、係合軸部をガイドフランジの外側より通孔へ差し込む。係合軸部を通孔に所定長さ差し込んだ状態では、係合軸部先端の抜け止めプレートが通孔を抜け出てガイドフランジの内側に位置する。
【００１１】
そして、巻回ドラム用吊り具を通孔の中心軸回りに略半周させてシャックルをボス部よりも上側へ移動させると、抜け止めプレートがその自重により係合軸部の投影面積から下側に移動する。
この状態において、巻回ドラム用吊り具にさらなる差し込み方向の力が作用した場合に、ボス部より上側に位置するシャックルがガイドフランジの外側面に当接するため、それ以上の差し込みが規制され、また巻回ドラム用吊り具に抜け方向の力が作用した場合には、抜け止めプレートの係合軸部から下側に突出した部分がガイドフランジの内側面に当接するため、抜け方向の移動が規制される。
【００１２】
また、巻回ドラム用吊り具を用いて巻回ドラムを吊り上げる場合には、ボス部に対して上側に位置するシャックルに吊りワイヤを挿通し、該吊りワイヤをクレーン等で牽引して吊りワイヤが緊張すると、係合軸部が通孔の内部で傾いて該係合軸部が通孔の外側開口縁上部と内側開口縁下部とに当接係合して、巻回ドラムが吊り上げ可能状態となる。
【００１３】
また、巻回ドラムが吊り上げ状態にあるとき、抜け止めプレートは通常ガイドフランジから離間しており、巻回ドラムの吊り荷重は通孔と当接係合する係合軸部が担持しており、抜け止めプレートは、吊りワイヤが弛むなどして巻回ドラム用吊り具に抜け方向の力が作用したときのみガイドフランジの内側面に当接して通孔からの抜けを防止する。
【発明の効果】
【００１４】
本発明の巻回ドラム用吊り具によれば、軽量級から重量級の巻回ドラムを確実に吊り上げることが可能であり、特に、鉄塔用の送電線を巻回した重量が数トンにも及ぶ超重量の巻回ドラムの吊り上げにも好適である。
さらに、巻回ドラムの通孔への抜き差しと抜け止め作業を、片手だけのワンタッチ操作で簡便に行うことができるので作業性に極めて優れている。また、吊りワイヤが弛んだ場合にも、通孔からの抜けを確実に防止することができ、しかも構造が単純であることから、耐久性に優れるとともに低価格での提供が可能である。
また、本発明の抜け止めプレートガイド手段によれば、巻回ドラム用吊り具を通孔の軸回りに略半回転させて抜け止めプレートを上下方向へ移動する際に、抜け止めプレートが横方向へ振れてこじれるのを防止するので、抜け止めプレートの上下動を円滑且つ迅速に行うことができる。
【発明を実施するための最良の形態】
【００１５】
以下、本発明に係る巻回ドラム用吊り具の各実施例を図面に基づいて説明する。
図中、図１〜図１０は本発明の一実施例を示し、図１は巻回ドラム用吊り具を用いて巻回ドラムを吊り上げた状態を示す断面図、図２，図３はそれぞれ巻回ドラム用吊り具の斜視図、図４（ａ），（ｂ）は抜け止めプレートの断面側面図、図５は巻回ドラム用吊り具を巻回ドラムの通孔に差し込んだ状態の断面図、図６は同じく巻回ドラム用吊り具を巻回ドラムの通孔に差し込んだ状態の斜視図、図７は図５の差し込み状態から半回転させた装着状態の断面図、図８は図６の差し込み状態から半回転させた装着状態の斜視図、図９は巻回ドラム用吊り具を用いて巻回ドラムを吊り上げる状態の斜視図、図１０は巻回ドラムを吊り上げる状態を示す断面図、図１１（ａ），（ｂ）は本発明の他の実施例を示す抜け止めプレートの断面側面図である。
【００１６】
図１〜図１０の一実施例に示す巻回ドラム用吊り具１は、円柱状の係合軸部２と、該係合軸部２の基端面に突出する平板状のボス部２ａと、該ボス部２ａに支軸３を用いて回動可能に軸支されるシャックル４と、係合軸部２の先端面に抜け止めプレートガイド手段５を介して装着される抜け止めプレート６とを備えている。
【００１７】
図１０に示すように、巻回ドラム用吊り具１の吊り上げ対象である巻回ドラム２０は、巻き胴２０ａの両側部に位置するガイドフランジ２０ｂ，２０ｂを、巻き胴２０ａから外周側のリング体２１ａと、中心部に位置するハブ２１ｂと、これらを放射状につなぐ複数のフレーム２１ｃとで構成しており、ハブ２１ｂの中心には吊り上げ用の通孔２２が内外に貫通形成されている。
【００１８】
図７に示すように、巻回ドラム用吊り具１の係合軸部２は、長さＬ１が巻回ドラム２０の通孔２２の長さＬ２よりも長く形成されていて、通孔２２との当接係合関係が充分に確保できるようにしており、またその直径Ｄ１は通孔２２の直径Ｄ２よりもやや小径で、これの間に設定される隙間Ｃによって、通孔２２への挿通を容易に行わせるとともに、巻回ドラム２０の吊り上げ時に、係合軸部２が若干の傾きをもって通孔２２と当接係合するようにしている。
【００１９】
係合軸部２の基端側には、周溝に着色を施した指標７ａと、外周面一側方に穿ったざぐり孔に着色を施した指標７ｂとが設けられており、一方の指標７ａは通孔２２に対する係合軸部２の差し込み位置を示すのに用いられ、また他方の指標７ｂは、シャックル４の突出方向を示すのに用いられる。
【００２０】
係合軸部２は、例えば巻回ドラム２０が超重量級であった場合に、これを吊り上げても変形することがないよう、例えばＳＳ４００等の丸鋼を削り出しした中実の円柱体に形成され、またボス部２ａは、この係合軸部２に連続して丸鋼を削り出しと二面取り加工した板状体に形成されており、さらにボス部２ａは、一側方に向けて設けられるとともに、シャックル４もこのボス部２ａから一側方へ突出して設けられている。
【００２１】
ボス部２ａの基端部一側方には、ストッパピンをボス部２ａの板厚方向へ突出して設けたシャックル回動規制手段８が設けられており、ボス部２ａから一側方へ突出するシャックル４は、支軸３を支点とする回動量を、係合軸部２の先端面とシャックル回動規制手段８と当接する範囲に規制されている。
【００２２】
前記抜け止めプレートガイド手段５は、係合軸部２の先端面に植設された一対のガイドピン９，９と、該ガイドピン９，９の先端にロックピン１０を用いて固着される抜け止めナット１１，１１と、抜け止めプレート６に穿設された一対の長孔１２，１２とからなっている。
図４の（ａ），（ｂ）に示すように、ガイドピン９，９は、係合軸部２の中心軸ＣＬ１から前記ボス部２ａの一側方とは反対側の他側方へ長さＬ３の等距離に偏位し、また長孔１２，１２は、抜け止めプレート６の中心軸ＣＬ２を挟んだ両側に平行に位置している。
【００２３】
抜け止めプレート６は、係合軸部２よりも一回り小さな円板状に形成されており、ガイドピン９，９の軸部と長孔１２，１２との相対移動可能な係合によって係合軸部２に保持されるとともに、長孔１２，１２の長さ分を係合軸部２の半径方向へ横ブレさせることなく移動できるようしている。
図２，図４（ａ）に示すように、抜け止めプレートガイド手段５は、係合軸部２を横向きにしてシャックル４をボス部２ａに対して下側に位置させた場合には、抜け止めプレート６を係合軸部２の投影面積内に規制し、また、図３，図４（ｂ）に示すように、係合軸部２を横向きにしてシャックル４をボス部２ａに対して上側に位置させた場合には、抜け止めプレート６をその自重により係合軸部２に対して下側へ移動させる。
【００２４】
本実施例は以上のように構成されており、図１０に示す巻回ドラム２０を吊り上げるには、左右のガイドフランジ２０ｂ，２０ｂに２つの巻回ドラム用吊り具１，１が用いられる。
そして、まずそれぞれのガイドフランジ２０ｂの外側で巻回ドラム用吊り具１を片手で把持し、シャックル４をボス部２ａに対して下側にして、巻回ドラム用吊り具１を横方向に向けることにより、抜け止めプレート６を係合軸部２の投影面積内に位置させ、この状態のまま、抜け止めプレート６を先頭にして係合軸部２を通孔２２へ差し込む。
巻回ドラム用吊り具１は、指標７ａがガイドフランジ２０ｂの外側面に略一致するまで差し込み、この状態において、係合軸部２の中間部分が通孔２２内に位置し、また先端の抜け止めプレート６の全体が通孔２２を抜け出てガイドフランジ２０ｂの内側に位置する（図５，図６参照）。
【００２５】
次に、指標７ｂが係合軸部２の最上部に位置するよう、巻回ドラム用吊り具１を通孔２２の中心軸ＣＬ３回りに略半周させて、シャックル４をボス部２ａに対して上側へ移動させると、抜け止めプレート６がその自重によって係合軸部２の投影面積から自由落下し、該抜け止めプレート６の下側部分がガイドフランジ２０ｂの内側面に位置する（図７，図８）。抜け止めプレート６の自由落下は、左右一対のガイドピン９，９と長孔１２，１２との係合によって案内されるため、抜け止めプレート６が横方向へ振れてこじれるのを有効に防止しつつ迅速に落下する。
【００２６】
そして、ボス部２ａに対して上側に位置するシャックル６に、Ｕ字状のジョイント２３とロックピン２４とを接続し、ジョイント２３に吊りワイヤ２５を挿通し、該吊りワイヤ２５にクレーン等のフック２６を引っ掛けたのち、該フック２６を引き上げる。
図１に示すように、フック２６の引き上げで吊りワイヤ２５が緊張すると、巻回ドラム用吊り具１の外側が持ち上げられ、係合軸部２が通孔２２の内部で傾いて、係合軸部２が通孔２２の外側開口縁上部２２ａと内側開口縁下部２２ｂとに当接係合し、巻回ドラム２０が吊り上げ可能状態となる（図９，図１０）。
【００２７】
巻回ドラム２０が吊り上げ状態にあるとき、抜け止めプレート６は通常ガイドフランジ２０ｂから離間しており、巻回ドラム２０の吊り荷重は上述のように通孔２２と当接係合する係合軸部２が担持している。抜け止めプレート６は、吊りワイヤ２５が弛むなどして巻回ドラム用吊り具１に抜け方向の力が作用したときのみガイドフランジ２０ｂの内側面に当接し、係合軸部２が通孔２２から抜けるのを防止する。
【００２８】
また、巻回ドラム２０に組み付けした巻回ドラム用吊り具１を取り外す場合には、上述の組み付けとは逆の手順によって行う。巻回ドラム２０に対する巻回ドラム用吊り具１の係脱や、抜け止めプレート６を用いた抜け止め作業は、作業者が巻回ドラム用吊り具１を片手で抜き差ししたり半回転をさせるだけのワンタッチ操作で簡便に行われる。
【００２９】
図１１（ａ），（ｂ）に示す本発明の他の実施例は、抜け止めプレートガイド手段３０の構成でのみ上述の実施例と異なっている。
本実施例の抜け止めプレートガイド手段３０は、係合軸部２の先端面に植設された一対のガイドピン３１ａ，３１ｂと、該ガイドピン３１ａ，３１ｂの先端にロックピンを用いて固着される抜け止めナット（いずれも図示しない）と、抜け止めプレート６に穿設された長孔３２とからなっている。
ガイドピン３１ａ，３１ｂは、係合軸部２の中心軸ＣＬ１からボス部の一側方とは反対側に延出する半径方向線Ｒ１上に内外不等距離で突出しており、また抜け止めプレート６の長孔３２は、該抜け止めプレート６の中心軸ＣＬ２を通る半径方向線Ｒ２上に形成されている。
【００３０】
抜け止めプレート６は、係合軸部２よりも一回り小さな円板状に形成されており、ガイドピン３１ａ，３１ｂの軸部と長孔３２との相対移動可能な係合によって係合軸部２に保持されており、長孔３２の長さ分を係合軸部２の半径方向へ横ブレさせることなく移動できるようしている。
図１１（ａ）に示すように、抜け止めプレートガイド手段３０は、シャックル４を下側に位置させた場合に、抜け止めプレート６を係合軸部２の投影面積内に規制し、また図１１（ｂ）のように、シャックル４を上側に位置させた場合には、抜け止めプレート６をその自重によって係合軸部２に対して下側へ移動させる。
抜け止めプレート６の自由落下は、上下一対のガイドピン３１ａ，３１ｂと長孔３２との係合によって案内されるため、抜け止めプレート６が横方向へ振れてこじれるのを有効に防止しつつ迅速に落下する。
【図面の簡単な説明】
【００３１】
【図１】本発明の一実施例を示す巻回ドラムを吊り上げた状態の断面図である。
【図２】本発明の一実施例を示す巻回ドラム用吊り具の斜視図である。
【図３】本発明の一実施例を示す巻回ドラム用吊り具の斜視図である。
【図４】本発明の一実施例を示す抜け止めプレートの断面側面図である。
【図５】本発明の一実施例を示す巻回ドラム用吊り具を巻回ドラムの通孔に差し込んだ状態の断面図である。
【図６】本発明の一実施例を示す巻回ドラム用吊り具を巻回ドラムの通孔に差し込んだ状態の斜視図である。
【図７】図５の差し込み状態から半回転させた装着状態の断面図である。
【図８】図６の差し込み状態から半回転させた装着状態の斜視図である。
【図９】本発明の一実施例を示す巻回ドラムを吊り上げる状態の斜視図である。
【図１０】本発明の一実施例を示す巻回ドラムを吊り上げる状態の断面図である。
【図１１】本発明の他の実施例を示す抜け止めプレートの断面側面図である。
【符号の説明】
【００３２】
１…巻回ドラム用吊り具
２…係合軸部
２ａ…ボス部
４…シャックル
５，３０…抜け止めプレートガイド手段
６…抜け止めプレート
７ａ，７ｂ…指標
８…シャックル回動規制手段
９，３１ａ，３１ｂ…ガイドピン
１２，３２…長孔
２０…巻回ドラム
２０ｂ…ガイドフランジ
２２…通孔
２２ａ…通孔２２の外側開口縁上部
２２ｂ…通孔２２の内側開口縁下部
２３…ジョイント
２５…吊りワイヤ
Ｌ１…係合軸部２の長さ
Ｌ２…通孔２２の長さ
Ｄ１…係合軸部２の直径
Ｄ２…通孔２２の直径
Ｃ…隙間
ＣＬ１，ＣＬ２，ＣＬ３…中心軸
Ｒ１，Ｒ２…半径方向線 
【図１】
2008308278.tif 000003
【図２】
2008308278.tif 000004
【図３】
2008308278.tif 000005
【図４】
2008308278.tif 000006
【図５】
2008308278.tif 000007
【図６】
2008308278.tif 000008
【図７】
2008308278.tif 000009
【図８】
2008308278.tif 000010
【図９】
2008308278.tif 000011
【図１０】
2008308278.tif 000012
【図１１】
2008308278.tif 000013